(57)【要約】【課題】シーリング部材の締結構造を改善した端末機の防水構造を提供する。【解決手段】本発明による電子機器は、第１面と、前記第１面に対向する第２面と、前記第１面と第２面を連結するホールを含む第１パネルと、前記ホールを貫通して前記第１面と第２面に露出されるシーリング部材と、前記第１面又は第２面に結合され、前記シーリング部材の露出部分と接触する第２パネルと、を含む。【選択図】図３
2013123216.tif 000002
【特許請求の範囲】
【請求項１】
第１面と、前記第１面に対向する第２面と、前記第１面と第２面を連結するホールを含む第１パネルと、
前記ホールを貫通して前記第１面と第２面に露出されるシーリング部材と、
前記第１面又は第２面に結合され、前記シーリング部材の露出部分と接触する第２パネルと、を含む電子機器。
【請求項２】
前記第１面と前記第２面には前記シーリング部材が置かれる収容溝がそれぞれ形成され、
前記ホールは、前記収容溝の底部を貫通することを特徴とする請求項１に記載の電子機器。
【請求項３】
前記第１面に形成される収容溝の幅は、前記第２面に形成される収容溝の幅と同じであることを特徴とする請求項２に記載の電子機器。
【請求項４】
前記第１面に形成される収容溝の幅は、前記第２面に形成される収容溝の幅と異なることを特徴とする請求項２に記載の電子機器。
【請求項５】
前記第１面に形成される収容溝の深さは、前記第２面に形成される収容溝の深さと同じであることを特徴とする請求項２に記載の電子機器。
【請求項６】
前記第１面に形成される収容溝の深さは、前記第２面に形成される収容溝の深さと異なることを特徴とする請求項２に記載の電子機器。
【請求項７】
多数個の前記ホールが前記収容溝の底部に沿って配置されることを特徴とする請求項２に記載の電子機器。
【請求項８】
前記第１面と第２面に形成される収容溝は、連続した閉曲線状で提供されることを特徴とする請求項７に記載の電子機器。
【請求項９】
前記第１面と第２面のうちいずれか一つに形成される収容溝は連続した閉曲線状であり、他の一つに形成される収容溝は所定間隔で離隔されて非連続的に配置されることを特徴とする請求項７に記載の電子機器。
【請求項１０】
前記連続した閉曲線状の収容溝は、前記第１面と第２面のうち前記第２パネルが接触される面に形成されることを特徴とする請求項９に記載の電子機器。
【請求項１１】
前記シーリング部材は、前記第１面と第２面のうちいずれか一面又は両面に前記シーリング部材を形成する樹脂が注入されて形成されるフレキシブル射出物であることを特徴とする請求項２に記載の電子機器。
【請求項１２】
前記シーリング部材の外周面には突出部が形成され、
前記突出部は前記第２パネルが接触する面に形成され、前記第２パネルによって加圧されることを特徴とする請求項２に記載の電子機器。
【請求項１３】
前記突出部は、所定角度で傾斜して突出されることを特徴とする請求項１２に記載の電子機器。
【請求項１４】
前記突出部は、前記第１パネルの外側縁の方に傾斜して形成されることを特徴とする請求項１２に記載の電子機器。
【発明の詳細な説明】
【技術分野】
【０００１】
本発明は、電子機器（ｅｌｅｃｔｒｏｎｉｃ  ｄｅｖｉｃｅ）に関するものである。
【背景技術】
【０００２】
電子機器に属する端末機（ｔｅｒｍｉｎａｌ）は、移動可能可否によって移動端末機（ｍｏｂｉｌｅ／ｐｏｒｔａｂｌｅ  ｔｅｒｍｉｎａｌ  ｄｅｖｉｃｅ）及び固定端末機（ｓｔａｔｉｏｎａｒｙ  ｔｅｒｍｉｎａｌ  ｄｅｖｉｃｅ）に分けられる。移動端末機は、使用者の直接携帯可能可否によって携帯（型）端末機（ｈａｎｄ−ｈｅｌｄ  ｔｅｒｍｉｎａｌ  ｄｅｖｉｃｅ）及び据置型端末機（ｆｌｏｏｒ−ｔｙｐｅｄ  ｔｅｒｍｉｎａｌ  ｄｅｖｉｃｅ）に分けられる。
【０００３】
このような端末機は、機能が多様化されることによって写真又は動画の撮影、音楽又は動画ファイルの再生、ゲーム、放送の受信など複合的な機能を備えたマルチメディア機器（ｍｕｌｔｉｍｅｄｉａ  ｐｌａｙｅｒ）の形態で具現されている。
【０００４】
端末機の内部には電子部品などが内蔵され、電子部品などは水分と接触すると障害が発生する恐れがあるため、端末機には内部に水分が流入されないようにシーリング部材が具備されてもよい。例えば、シーリング部材は端末機の外観を形成するフロントケース（ｆｒｏｎｔ  ｃａｓｅ）とリアケース（ｒｅａｒ  ｃａｓｅ）との間に具備されてもよく、リアケースとリアケースの後方に装着されるバッテリケース（ｂａｔｔｅｒｙ  ｃａｓｅ）との間に具備されてもよい。
【０００５】
従来の端末機の場合、シーリング部材は別途に製造され、端末機を組み立てる際防水構造が必要な部分に位置させて締結する方式に組み立てられていた。この際、シーリング部材が硬度が低い素材、即ち、フレキシブルな素材で製造された場合、シーリング部材の密着力が高いためシーリング部材とシーリング部材と接触される構成要素が緊密に結合され得るという長所があるが、組み立てる際シーリング部材を機器内に位置させて締結することが容易ではないという短所がある。逆に、シーリング部材が硬度が高い素材で製造された場合、組み立てる際シーリング部材を端末機に容易に組み立てることができるが、他の構成要素との密着力が低いため端末機の構成要素が互いに緊密に結合されず、製品の仕上性が落ちる恐れがあるという問題点がある。
【発明の概要】
【発明が解決しようとする課題】
【０００６】
本発明は前記のような問題点を改善するために提案されたものであり、シーリング部材の締結構造を改善して他の構成要素との密着力を高めると共に、組立性が向上される端末機の防水構造を提供することを目的とする。
【課題を解決するための手段】
【０００７】
前記のような目的を達成するための本発明の実施例による電子機器は、第１面と、前記第１面に対向する第２面と、前記第１面と第２面を連結するホールを含む第１パネルと、前記ホールを貫通して前記第１面と第２面に露出されるシーリング部材と、前記第１面又は第２面に結合され、前記シーリング部材の露出部分と接触する第２パネルと、を含む。
【発明の効果】
【０００８】
本発明の実施例による電子端末機の防水構造によると、シーリング部材の組立性が良くなると共に組み立てられる他の構成要素との密着力が高くなり、防水性能が向上される長所がある。
【図面の簡単な説明】
【０００９】
【図１】本発明の一実施例による電子機器の外観斜視図である。
【図２】図１に示した電子機器の後面斜視図である。
【図３】シーリング部材が除去された電子機器のリアケースを示す斜視図である。
【図４】図３のＡ−Ａ’を示す断面図である。
【図５】図３のＢ−Ｂ’を示す断面図である。
【図６】本発明の実施例によるリアケースにシーリング部材が介在される様子を示す図である。
【図７】本発明の実施例によるリアケースにシーリング部材が介在される様子を示す図である。
【図８】本発明によるリアケースにバッテリケースが装着された様子を示す部分断面図である。
【発明を実施するための形態】
【００１０】
本明細書で説明される端末機には携帯、スマートフォン（ｓｍａｒｔ  ｐｈｏｎｅ）、ノートブックコンピュータ（ｌａｐｔｏｐ  ｃｏｍｐｕｔｅｒ）、デジタル放送用端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ），ナビゲーションなどのような移動端末機だけでなく、デジタルテレビ、デスクトップコンピュータなどのような固定端末機にも適用することができる。
【００１１】
図１は、本発明の一実施例による電子機器の外観斜視図である。
【００１２】
図１を参照すると、本発明の一実施例による電子機器１００は外観を形成するケースを含む。ケースは、電子機器１００の前方に位置するフロントケース１１０と、電子機器１００の後方に位置するリアケース１２０を含む。リアケース１２０の後方にはバッテリケース１５０（図２参照）が追加に具備されてもよい。フロントケース１１０及びリアケース１２０の間には、少なくとも一つのフレームが配置される。フロントケース１１０及びリアケース１２０の間に形成された空間には、各種電子部品が内蔵される。ケース又はフレームは合成樹脂を射出して成形されるか、ステンレススチール（ＳＴＳ）又はチタン（Ｔｉ）などのような金属材質で製造されてもよい。
【００１３】
フロントケース１１０及びリアケース１２０で形成される電子機器１００の前面と側面部には、ディスプレイ部１１１、使用者入力部１３１，１３２、音響出力部１３３、カメラ１３４、マイク１３５、アンテナ１３６、インターフェース１３７などが配置され得る。
【００１４】
詳しくは、ディスプレイ部１１１はフロントケース１１０前面の大部分を占める。ディスプレイ部１１１の両端部のうち一端部に隣接した領域には音響出力部１３３とカメラ１３４が配置され、他端部に隣接した領域には使用者入力部である第１操作ユニット１３１と、マイク１３５及びアンテナ１３６が配置される。第２操作ユニット１３２とインターフェース１７０などは、電子機器１００の側面に配置され得る。
【００１５】
使用者入力部１３１，１３２は電子機器１００の動作を制御するための命令を入力するために提供されるものであり、複数の操作ユニット１３１，１３２を含んでもよい。操作ユニット１３１，１３２は操作部（ｍａｎｉｐｕｌａｔｉｏｎｇ  ｐｏｒｔｉｏｎ）とも通称されてもよく、使用者が触覚的な感覚を加えて操作する方式（ｔａｃｔｉｌｅ  ｍａｎｎｅｒ）であればいずれの方式でも採用され得る。操作部によって入力される内容は多様に設定されてもよい。例えば、第１操作ユニット１３１は電子機器の電源のオン／オフ、電子機器に入力されたプログラムの開始、終了、スクロールなどのような命令を入力することができ、第２操作ユニット１３２は音響出力部１３３から出力される音響の大きさの調節又はディスプレイ部１１１のタッチ認識モードへの転換などのような命令を入力することができる。そして、電子機器本体の側面には通話などのためのアンテナの他、放送信号受信用アンテナ１３６が電子機器本体から引き出され得るように追加に配置されてもよい。
【００１６】
開示された電子機器１００はバー型の電子機器本体を具備しているが、本発明は前記形態に限られず、２つ以上の本体が相対移動可能に結合されるスライドタイプ、フォルダータイプ、スイングタイプ、スウィーベルタイプなど、多様な構造に適用することができる。
【００１７】
図２は、図１に示した電子機器の後面斜視図である。
【００１８】
図２を参照すると、リアケース１２０の後方にはバッテリケース１５０が位置され得る。リアケース１２０にはバッテリを挿入し得るバッテリケース挿入部１２１が具備される。バッテリ挿入部１２１にバッテリが装着された後、バッテリがバッテリ挿入部１２１から離脱されないようにリアケース１２０の後方にバッテリケース１５０が結合される。そして、バッテリの交替が必要な場合、使用者はバッテリケース１５０を電子機器１００から分離させた後、バッテリを着脱することができる。
【００１９】
一方、リアケース１２０の後面にはシーリング部材１４０が位置される。シーリング部材１４０は、リアケース１２０の後面に突出されて具備されてもよい。バッテリケース１５０がリアケース１２０の後方に装着されるとシーリング部材１４０がバッテリケース１５０の内側面と接触され、バッテリケース１５０とリアケース１２０との間に水分が浸透されることを防止する。シーリング部材１４０は、電子機器内部に水分が浸透されないように適切な形態で製造され得る。一例に、シーリング部材１４０はバッテリ挿入部１２１を囲む閉曲線状に具備されてもよい。それによって、バッテリ挿入部１２１に水分が流入されることが防止される。
【００２０】
図３はシーリング部材が除去された電子機器のリアケースを示す斜視図であり、図４は図３のＡ−Ａ’を示す断面図であり、図５は図３のＢ−Ｂ’を示す断面図である。
【００２１】
図３乃至図５を参照すると、リアケース１２０にはシーリング部材１４０が装着され得るシーリング部材収容溝１２２が具備される。シーリング部材収容溝１２２は、シーリング部材が必要な位置又は形態によって適切に具備され得る。一例に、シーリング部材収容溝１２２はバッテリ挿入部１２１を囲む閉曲線状に具備されてもよい。シーリング部材収容溝１２２は、リアケース１２０の上下面にそれぞれ具備されてもよい。
【００２２】
また、シーリング部材収容溝１２２は、リアケース１２０を貫通するホール１２３が具備されてもよい。ホール１２３の幅は、シーリング部材収容溝１２２の底部の幅より小さく形成されてもよい。
【００２３】
図４に示したように、リアケース１２０の上下面にそれぞれ形成されるシーリング部材収容溝１２２はホール１２３によって互いに連通されてもよい。即ち、シーリング部材収容溝１２２とホール１２３によって形成される断面は「Ｉ」状を成してもよい。そして、ホール１２３はシーリング部材収容溝１２２に一定間隔を置いて多数個が配置されてもよい。従って、図５に示したように、隣接するホール１２３の間ではリアケース１２０の上下面に具備される収容溝１２２が互いに連通されない。
【００２４】
シーリング部材収容溝１２２は、リアケース１２０の上下面に互いに対応する位置に具備されてもよい。リアケース１２０の上面と下面に具備されるシーリング部材収容溝１２２はそれぞれ同じ形態で具備されてもよく、相異なる形態で具備されてもよい。例えば、リアケース１２０の上面と下面のうちいずれか一面に形成されるシーリング部材収容溝１２２の底部の幅が他の一面に形成されるシーリング部材収容溝１２２の底面の幅より大きいか小さく形成されてもよい。もちろん、シーリング部材収容溝１２２の深さも互いに異なるように形成されてもよい。
【００２５】
また、リアケース１２０の上面と下面のうちいずれか一面に形成されるシーリング部材収容溝１２２はバッテリ挿入部１２１の縁に沿って形成される連続した閉曲線状で具備され、他の一面に形成されるシーリング部材収容溝１２２はバッテリ挿入部１２１の縁に沿って形成されるが、多数個の短い溝が所定間隔を置いて離隔される形で非連続的に配置されてもよい。ここで、シーリング部材収容溝１２２の底部の幅は、ホール１２３の幅より大きく形成される。
【００２６】
図６及び図７は、本発明の実施例によるリアケースにシーリング部材が介在される様子を示す図である。
【００２７】
図６及び図７を参照すると、シーリング部材１４０はリアケース１２０にインサート射出されてもよい。詳しくは、上下面にシーリング部材収容溝１２２が成形されたリアケース１２０を金型に位置させた後、シーリング部材収容溝１２２にシーリング部材１４０を形成する樹脂を射出ゲートＩ１，Ｉ２を介して注入させて射出することで、リアケース１２０に固定されたシーリング部材１４０を具現することができる。
【００２８】
この際、リアケース１２０の両面に具備されたシーリング部材収容溝１２２はホール１２３によって連通されているため、リアケース１２０の上下面に具備されるゲートＩ１，Ｉ２のうちいずれか一方から樹脂を注入してもよく、両方から同時に注入してもよい。即ち、リアケース１２０のいずれか一側のゲートＩ２からシーリング部材１４０の材料を注入させると、ホール１２３を介してリアケース１２０の他側に形成されたシーリング部材収容溝１２２にもシーリング部材１４０の材料が注入され得る。逆に、リアケース１２０の他側のゲートＩ１からシーリング部材１４０の材料を注入させると、ホール１２３を介してリアケース１２０の一側に形成されたシーリング部材収容溝１２２にもシーリング部材１４０の材料が注入され得る。材料が注入されることで、シーリング部材１４０がシーリング部材収容溝１２２及びホール１２３の形状に対応するように形成され得る。それによってシーリング部材１４０はリアケース１２０に緊密に結合され、ホール１２３を介してリアケース１２０の外側面、内側面に形成されたシーリング部材１４０が全て連結されて一体に成形される。
【００２９】
前記のようにシーリング部材１４０が具備される場合、シーリング部材１４０リアケース１２０に差し込む別途の工程を必要とせず、シーリング部材１４０が硬度が低い材料で成形されてもリアケース１２０に完璧に密着される長所がある。また、リアケース１２０の前方又は後方の両方からシーリング部材の材料を注入し得るため、シーリング部材の製造及び組立ラインを構成することが便利であるという長所がある。
【００３０】
一方、シーリング部材１４０は、リアケース１２０の少なくとも一面に突出形成される突出部１４１を含む。リアケース１２０の上面に突出された突出部１４１は、リアケース１２０の後方に装着されるバッテリケース１５０と緊密に接触される。そして、バッテリケース１５０は、リアケース１２０の後方に位置した突出部１４１を加圧するようになる。突出部１４１はシーリング部材挿入溝１２２に対応する位置で電子機器内部に水分が浸透することを防止するために適切な形態で形成され得る。一例に、突出部１４１はシーリング部材挿入溝１２２の縁に沿って延長される閉曲線状に具備されてもよい。そして、突出部１４１はリアケース１２０の外側方向を向かうように傾斜して形成され、バッテリケース１５０によって加圧されると突出部１４１の端部がリアケース１２０の外部を向かうようにすることができる。このような構造によると、突出部１４１が垂直に延長されるかリアケース１２０の中心方向に傾斜する場合に比べ、水分の浸透を更に確実に遮断し得る長所がある。
【００３１】
図８は、本発明によるリアケースにバッテリケースが装着された様子を示す部分断面図である。
【００３２】
図８を参照すると、バッテリケース１５０とリアケース１２０との間に存在するシーリング部材１４０によってバッテリ挿入部１２１側に水分が浸透することが防止され得る。詳しくは、バッテリケース１５０の内側面がシーリング部材１４０の突出部１４１を加圧することでバッテリケース１５０及びリアケース１２０の間に水分が浸透することが防止される。そして、突出部１４１がリアケースの外側を向いた状態で加圧されるため、水分浸透遮断効果が更に良くなる長所がある。
【００３３】
シーリング部材１４０は硬度が低い材質で製造されるため他の部材との密着力がよく、インサート射出によってリアケース１２０と緊密に結合され得るため防水性能が格段に高くなり得る。
【００３４】
前記では電子機器１００のリアケース１２０にシーリング部材１４０が具備され、リアケース１２０とバッテリケース１５０との間に水分が浸透されることを防止し得る構造について説明したが、インサート射出によってシーリング部材が具備される構造に関しては機器及び部品に限らない。インサート射出によるシーリング部材に関する構成は、防水構造が必要な機器であればいかなる機器にも適用され得る。
【００３５】
例えば、端末機のような電子機器において、第１パネル及び第２パネルの間に存在する隙間を介して水分が浸透されることを防止するために、第１パネル及び第２パネルのうちいずれか一つに前記のような方法によってシーリング部材を具現し得る。電子機器１００に関する実施例において、リアケース１２０、バッテリケース１５０のうちいずれか一つは第１パネルとしてもよく、残りは第２パネルとしてもよい。
【００３６】
また、シーリング部材の形状は上述に限らない。例えば、シーリング部材は閉曲線状に具現されてもよく、突起のような形で具現されてもよい。
【図１】
2013123216.tif 000003
【図２】
2013123216.tif 000004
【図３】
2013123216.tif 000005
【図４】
2013123216.tif 000006
【図５】
2013123216.tif 000007
【図６】
2013123216.tif 000008
【図７】
2013123216.tif 000009
【図８】
2013123216.tif 000010